(57)【要約】【課題】排熱回収ボイラを設置しないガスタービンの高温の排ガスの脱硝処理を行う脱硝処理装置と方法を提供すること。【解決手段】ガスタービン排ガスダクト１２にアンモニア接触還元用の脱硝反応器４と該脱硝反応器４の前流側に空気を導入して排ガスを冷却する空気ファン６と該空気ファン６により排ガスダクト１２中に導入された空気を排ガスと混合するための混合器としてミキシングフォイル１を配置した高温排ガス用脱硝装置であり、高温排ガス逆流防止用の逆止ダンパ８をミキシングフォイル１の前流側の排ガスダクトに配置し、該逆止ダンパ８とミキシングフォイル１の間にシール用空気を送るシール空気ファン７を設ける【選択図】図１
2014111912.tif 000002
【特許請求の範囲】
【請求項１】
ガスタービンから排出する排ガスが流れる排ガスダクトにアンモニア接触還元用の脱硝反応器を設け、
該脱硝反応器の前流側の排ガスダクトに空気を導入して排ガスを冷却するための排ガス希釈空気ファンと該排ガス希釈空気ファンからの排ガス希釈空気を流す排ガス希釈空気ダクトを排ガスダクトに接続し、
排ガス希釈空気ダクトからの排ガス希釈空気と排ガスとを混合するための混合器として複数のスリットを有するミキシングフォイルを脱硝反応器の前流側の排ガスダクトに配置したことを特徴とする排ガス用脱硝装置。
【請求項２】
高温排ガス逆流防止用の逆止ダンパを排ガス希釈空気ダクト内に配置し、
排ガスダクト内にシール用空気を導入するシール空気ファン付のシール空気配管を逆止ダンパを設置した部位より後流側の排ガス希釈空気ダクトに接続したことを特徴とする請求項１記載の排ガス用脱硝装置。
【請求項３】
脱硝反応器の入口側の排ガスダクトに温度計を設置し、該温度計により脱硝反応器の入口温度が設定値以上の高温になった場合に、ガスタービンをトリップさせる制御機構を備えた請求項１又は２記載の排ガス用脱硝装置。
【請求項４】
排ガス希釈空気ファンがトリップした場合に、ガスタービンをトリップさせ、同時にシール空気ファンを起動させる制御機構を備えた請求項１から３の何れかに記載の排ガス用脱硝装置。
【請求項５】
ガスタービンからの排ガスが流れる排ガスダクトに配置したキシングフォイルに排ガス希釈空気を導入して排ガスと混合させ、排ガス希釈空気により冷却された排ガスをアンモニア接触還元式の脱硝反応により処理することを特徴とする排ガス用脱硝方法。
【請求項６】
ガスタービン排ガスが逆流することを防止しながら排ガス希釈用の空気をガスタービンの排ガスダクト内に導入し、ガスタービン排ガスが逆流することを防止しながらシール用空気を排ガスと排ガス希釈用の空気を混合する前の排ガスダクトに導入することを特徴とする請求項５記載の排ガス用脱硝方法。
【請求項７】
アンモニア接触還元式の脱硝反応を行う直前の排ガスダクト内の排ガス温度が設定値以上の高温になった場合に、ガスタービンをトリップさせることを特徴とする請求項５又は６記載の排ガス用脱硝方法。
【請求項８】
排ガス希釈空気が排ガスダクト内に導入出来なくなった場合に、ガスタービンをトリップさせ、同時にシール用空気を導入することを特徴とする請求項５から７の何れかに記載の排ガス用脱硝方法。
【発明の詳細な説明】
【技術分野】
【０００１】
本発明は、ガスタービンから排出される高温排ガスの脱硝処理装置と方法に係り、特に高温排ガス冷却用として排ガス希釈用空気を混入することが可能な高温排ガスの脱硝処理をする装置と方法に関する。
【背景技術】
【０００２】
ガスタービンから排出される高温排ガスの脱硝装置として、大気を吸引もしくは加圧して導入し、排ガスと混合させる混合器を設け、排ガス温度を使用する脱硝触媒の脱硝効率の高い温度範囲に冷却制御する高温排ガス脱硝装置が特開平４−４０２１号公報などで知られている。
【０００３】
この発明によると、高温排ガス系にベンチュリ機構を設けて大気を直接吸引混合する手段や、ファンもしくはコンプレッサにより大気を昇圧して高温排ガス系に導入し、排ガスと混合させることで、排ガス温度を冷却制御することに特徴がある。
【０００４】
また、特開平８−１０８０４５号公報には、ガスタービン下流の排ガス系統に空気冷却器を設けて排ガス温度を低下させた後、アンモニアを注入して脱硝触媒層へ導入することで排ガスの脱硝を行う装置が開示されている。
【先行技術文献】
【特許文献】
【０００５】
【特許文献１】特開平４−４０２１号公報
【特許文献２】特開平８−１０８０４５号公報
【発明の概要】
【発明が解決しようとする課題】
【０００６】
特許文献１（特開平４−４０２１号公報）記載の発明においては、燃焼排ガスを冷却する際に高温排ガスと希釈空気を混合する混合器を使用しているが、特に混合器から脱硝反応器までの混合距離が十分でない場合は、後流側の温度分布を均一にすることは困難である。
【０００７】
また特許文献２（特開平８−１０８０４５号公報）記載の発明においては、空気冷却器により排ガス温度を低下させている。空気冷却器では、煙突効果により冷却空気を供給しており、動力を必要としないという効果がある反面、温度調整が困難である。また、空気流通孔の間を通過するガスや冷却空気温度が上下で異なることから、後流側の温度分布を均一にすることは困難である。
【０００８】
さらに上記発明においては、ガスタービンがトリップした場合の保護装置が設置されておらず、ガスタービンへ高温排ガスが逆流する可能性がある。
本発明の課題は、ガスタービンから排出される高温排ガスの脱硝処理を行う脱硝処理装置と方法を提供することである。
【課題を解決するための手段】
【０００９】
本発明の上記課題は次の解決手段で解決される。  
請求項１記載の発明は、ガスタービン（３）から排出する排ガスが流れる排ガスダクト（１２）にアンモニア接触還元用の脱硝反応器（４）を設け、該脱硝反応器（４）の前流側の排ガスダクト（１２）に空気を導入して排ガスを冷却するための排ガス希釈空気ファン（６）と該排ガス希釈空気ファン（６）からの排ガス希釈空気を流す排ガス希釈空気ダクト（１０）を排ガスダクト（１２）に接続し、排ガス希釈空気ダクト（１０）からの排ガス希釈空気と排ガスとを混合するための混合器として複数のスリット（２）を有するミキシングフォイル（１）を脱硝反応器（４）の前流側の排ガスダクト（１２）に配置したことを特徴とする排ガス用脱硝装置である。
【００１０】
請求項２記載の発明は、高温排ガス逆流防止用の逆止ダンパ（８）を排ガス希釈空気ダクト（１０）内に配置し、排ガスダクト（１２）内にシール用空気を導入するシール空気ファン（７）付のシール空気配管（１１）を逆止ダンパ（８）を設置した部位より後流側の排ガス希釈空気ダクト（１０）に接続したことを特徴とする請求項１記載の排ガス用脱硝装置である。
【００１１】
請求項３記載の発明は、脱硝反応器（４）の入口側の排ガスダクト（１２）に温度計を設置し、該温度計により脱硝反応器（４）の入口温度が設定値以上の高温になった場合に、ガスタービン（３）をトリップさせる制御機構を備えた請求項１又は２記載の排ガス用脱硝装置である。
【００１２】
請求項４記載の発明は、排ガス希釈空気ファン（６）がトリップした場合に、ガスタービン（３）をトリップさせ、同時にシール空気ファン（７）を起動させる制御機構を備えた請求項１から３の何れかに記載の排ガス用脱硝装置である。
【００１３】
請求項５記載の発明は、ガスタービン（３）からの排ガスが流れる排ガスダクト（１２）に配置したミキシングフォイル（１）に排ガス希釈空気を導入して排ガスと混合させ、排ガス希釈空気により冷却された排ガスをアンモニア接触還元式の脱硝反応により処理することを特徴とする排ガス用脱硝方法である。
【００１４】
請求項６記載の発明は、ガスタービン排ガスが逆流することを防止しながら排ガス希釈用の空気をガスタービン（３）の排ガスダクト（１２）内に導入し、ガスタービン排ガスが逆流することを防止しながらシール用空気を排ガスと排ガス希釈用の空気を混合する前の排ガスダクト（１２）に導入することを特徴とする請求項５記載の排ガス用脱硝方法である。
【００１５】
請求項７記載の発明は、アンモニア接触還元式の脱硝反応を行う直前の排ガスダクト（１２）内の排ガス温度が設定値以上の高温になった場合に、ガスタービン（３）をトリップさせることを特徴とする請求項５又は６記載の排ガス用脱硝方法である。
【００１６】
請求項８記載の発明は、排ガス希釈空気が排ガスダクト（１２）内に導入出来なくなった場合に、ガスタービン（３）をトリップさせ、同時にシール用空気を導入することを特徴とする請求項５から７の何れかに記載の排ガス用脱硝方法である。
【発明の効果】
【００１７】
本発明の排ガス処理装置における脱硝装置への排ガス入口温度（５００℃以下）は従来のコンバインドサイクルの温度（３５０℃）に比べて高温となっているため、排ガス流速が大きく、混合器設置による圧力損失への影響が大きくなるという課題があったが、請求項１、５記載の発明によれば混合器としてミキシングフォイル１を採用することで、混合性能改善を可能とするだけでなく、排ガス流速増加による圧損増加分を極力低減することが期待でき、排ガス希釈空気ファン６側の圧損も低減することが可能である。
【００１８】
さらに、各ミキシングフォイル１間の排ガス流速が大きくなるため、各スリット２の出口の圧力が負圧となり、排ガス希釈空気ファン６側の吐出圧低減効果があり、また排ガス希釈空気ファン６側の吐出圧を低減することで、ファン動力低減となり、脱硝装置全体の効率的運用が可能となる。
【００１９】
請求項２、６記載の発明によれば、請求項１記載の発明の効果に加えて、高温排ガス逆流防止用の逆止ダンパ８をミキシングフォイル１の前流側の排ガス希釈空気ダクト１０に配置し、該逆止ダンパ８とミキシングフォイル１の間にシール用空気が流通するシール空気配管１１に空気を送るシール空気ファン７を設けたので、タービントリップ時にも高温排ガスが排ガス希釈空気ダクト１０、シール空気配管１１に逆流することがなくなる。
【００２０】
請求項３、７記載の発明によれば、請求項１、２、又は請求項５、６記載の発明の効果に加えて、脱硝反応器４の入口側の排ガスダクト１２内の温度により脱硝反応器４の前記入口温度が設定値以上の高温になった場合に、ガスタービン３をトリップさせることができ、従来よりも安全性が高くなる。
【００２１】
請求項４、８記載の発明によれば、請求項１から３のいずれか、又は請求項５から７のいずれかに記載の発明の効果に加えて、排ガス希釈空気ファン６がトリップした場合に、ガスタービン３をトリップさせ、同時にシール空気ファン７を起動させることができ、従来よりも安全性が高くなる。
【図面の簡単な説明】
【００２２】
【図１】本発明の排ガス処理装置を示す図である。
【図２】図１のミキシングフォイルの概略斜視図（図２（ａ））とミキシングフォイルが設置される排ガスダクト部分の平面図（図２（ｂ））である。
【発明を実施するための形態】
【００２３】
本発明の実施の形態を図面と共に説明する。  
本発明の一実施形態の排ガス処理システムの概要を図１に示す。ガスタービン排ガスは排ガスダクト１２から空気と排ガスを混合する混合器（ミキシングフォイル）１へ送り込まれる。混合器（ミキシングフォイル）１の後流側の排ガスダクト１２にはアンモニア注入ノズル１６とアンモニア接触還元触媒を有する脱硝反応器４と煙突５が順次配置されている。
【００２４】
アンモニア注入ノズル１６は図１ではミキシングフォイル１と脱硝反応器４の間に設置しているが、この位置よりも前流側の排ガスダクト１２に設置しても良い。
また、排ガス希釈空気ファン６により導入される空気が排ガス希釈空気ダクト１０を経由してミキシングフォイル１に導入され、排ガスダクト１２から供給される排ガスと混合される。排ガス希釈空気ファン６により導入される排ガス希釈空気とアンモニア注入ノズル１６から注入されるアンモニアを排ガス希釈空気ダクト１０内で混合し、その後ミキシングフォイル１により排ガス希釈空気とアンモニアの混合度合いを高めてもよい。
【００２５】
排ガス希釈用の空気を希釈空気ダクト１０から脱硝反応器４が設置されている排ガスダクト１２内の前流側に混入することにより、脱硝反応器４の入口での排ガス温度を冷却して、脱硝触媒の性能及び脱硝反応器４の構造強度を保つことができる。
【００２６】
本実施例においては、排ガスと空気の混合器としてミキシングフォイル１を採用することにより、高温排ガスの冷却効果を高め、混合器１と脱硝反応器４までの混合距離が十分でない場合においても、後流側の温度分布を均一にすることが可能である。
【００２７】
ガスタービン３から排出する排ガス量は１００％負荷時で約２８０，０００ｍ３Ｎ／ｈであり、排ガス温度は約５５０℃である。この排ガスを脱硝触媒の脱硝反応効率が高い温度範囲（５００℃以下）に下げるために必要な空気量は、約５０，０００ｍ３Ｎ／ｈであり、この風量を吐出できるファンを排ガス希釈空気ファン６として選定する。
【００２８】
また、排ガス希釈空気ダクト１０には逆止ダンパ８を設置し、排ガスダクト１２内の高温排ガスが排ガス希釈空気ダクト１０に逆流するのを防止して排ガス希釈空気ファン６の保護を図る。さらに、ミキシングフォイル１と逆止ダンパ８との間にシール空気配管１１を接続し、シール空気配管１１にシール空気ファン７を設置することで、排ガス希釈空気ファン６がトリップした時に排ガスダクト１２内の高温排ガスがシール空気配管１１及び排ガス希釈空気ファン６に逆流するのを防止する。また、シール空気配管１１には逆止弁９を設けることで、発電所全体の停電時にも排ガスがシール空気配管１１及び排ガス希釈空気ファン６に逆流するのを防ぐことが可能である。
【００２９】
また、図１に示すように、排ガス希釈空気ダクト１０は排ガスダクト１２の上部に一旦立ち上げ、その後、ミキシングフォイル１を排ガスダクト１２の上部から排ガスダクト１２内に挿入する配置とする。高温の気体は上昇する性質があるため、発電所全体が停電した場合においても、配置上高温排ガスは排ガスダクト１２上部の排ガス希釈空気ダクト１０に留まり、排ガス希釈空気ファン６やシール空気ファン７まで高温の状態で到達することを防ぐことができる。
【００３０】
ミキシングフォイル（混合器）１の構造は図２に示すように、上部から見ると、ガス流れ上流側が曲形となり、下流側となるにつれ先細りした構造物であり、側面には複数のスリット２が設けられている。
【００３１】
ミキシングフォイル１の両側面に設けられるスリット２の個数と大きさは、排ガス希釈空気ファン６側の許容圧力損失にも関わってくるが、排ガス流れのシミュレーション結果に従い、スリット２の大きさを変えたり、部分的にスリット２を間引きする等により、排ガスの空気の混合性を改善することも可能である。
【００３２】
また、シール空気ファン7はプラント運転時においては、基本的に停止した状態であるが、排ガス希釈空気ファン６の停止信号により、起動する構成とする。
また、本実施例では排ガス系統と空気系統の間にミキシングフォイル１を設置した構成としているため、発電所全体の停電時等においても、ガスタービン３からの高温排ガスが空気系統へ流入する際の抵抗体としてミキシングフォイル１が働く。
【００３３】
さらに、シール空気ファン7は排ガス希釈空気ダクト１０に接続するシール空気配管１１に逆止弁９付きで設けられ、また排ガス希釈空気ファン６は排ガス希釈空気ダクト１０内に逆止ダンパ８付きで設けられるので、発電所全体の停電時等においても、高温排ガスがシール空気ファン7と排ガス希釈空気ファン６に逆流することを防ぐことが出来る。
【符号の説明】
【００３４】
1.  ミキシングフォイル      2.  スリット
3.  ガスタービン     4.  脱硝反応器
5.  煙突             6.  排ガス希釈空気ファン
7.  シール空気ファン 8.  逆止ダンパ
9.  逆止弁           10.  排ガス希釈空気ダクト
11.  シール空気配管  12.  排ガスダクト
【図１】
2014111912.tif 000003
【図２】
2014111912.tif 000004
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
ガスタービンから排出する排ガスが流れる排ガスダクトにアンモニア接触還元用の脱硝反応器を設け、
該脱硝反応器の前流側の排ガスダクトに空気を導入して排ガスを５００℃以下に冷却するための排ガス希釈空気ファンと該排ガス希釈空気ファンからの排ガス希釈空気を流す排ガス希釈空気ダクトを排ガスダクトに接続し、
排ガス希釈空気ダクトからの排ガス希釈空気と排ガスとを混合するための混合器として複数のスリットを有するミキシングフォイルを脱硝反応器の前流側の排ガスダクトに配置したことを特徴とする排ガス用脱硝装置。
【請求項２】
高温排ガス逆流防止用の逆止ダンパを排ガス希釈空気ダクト内に配置し、
排ガスダクト内にシール用空気を導入するシール空気ファン付のシール空気配管を逆止ダンパを設置した部位より後流側の排ガス希釈空気ダクトに接続し、さらに排ガス希釈空気ダクトは排ガスダクトの上方部位に一旦立ち上げ、その後、排ガス希釈空気ダクトに接続したミキシングフォイルにより排ガスダクトの上方部位から排ガスダクト内に挿入する配置としたことを特徴とする請求項１記載の排ガス用脱硝装置。
【請求項３】
脱硝反応器の入口側の排ガスダクトに温度計を設置し、該温度計により脱硝反応器の入口温度が設定値以上の高温になった場合に、ガスタービンをトリップさせる制御機構を備えた請求項１又は２記載の排ガス用脱硝装置。
【請求項４】
排ガス希釈空気ファンがトリップした場合に、ガスタービンをトリップさせ、同時にシール空気ファンを起動させる制御機構を備えた請求項１から３の何れかに記載の排ガス用脱硝装置。
【請求項５】
ガスタービンからの排ガスが流れる排ガスダクトに配置したミキシングフォイルに排ガス希釈空気を導入して排ガスと混合させ、排ガス希釈空気により５００℃以下に冷却された排ガスをアンモニア接触還元式の脱硝反応により処理することを特徴とする排ガス用脱硝方法。
【請求項６】
ガスタービン排ガスが逆流することを防止しながら排ガス希釈用の空気を排ガスダクトの上方部位に一旦立ち上げた後に、ミキシングフォイルを経由して排ガスダクトの上方部位から排ガスダクト内に導入し、さらに、ガスタービン排ガスが逆流することを防止しながらシール用空気を排ガスと排ガス希釈用の空気を混合する前の排ガスダクトに導入することを特徴とする請求項５記載の排ガス用脱硝方法。
【請求項７】
アンモニア接触還元式の脱硝反応を行う直前の排ガスダクト内の排ガス温度が設定値以上の高温になった場合に、ガスタービンをトリップさせることを特徴とする請求項５又は６記載の排ガス用脱硝方法。
【請求項８】
排ガス希釈空気が排ガスダクト内に導入出来なくなった場合に、ガスタービンをトリップさせ、同時にシール用空気を導入することを特徴とする請求項５から７の何れかに記載の排ガス用脱硝方法。
【手続補正２】
【補正対象書類名】明細書
【補正対象項目名】０００９
【補正方法】変更
【補正の内容】
【０００９】
本発明の上記課題は次の解決手段で解決される。  
請求項１記載の発明は、ガスタービン（３）から排出する排ガスが流れる排ガスダクト（１２）にアンモニア接触還元用の脱硝反応器（４）を設け、該脱硝反応器（４）の前流側の排ガスダクト（１２）に空気を導入して排ガスを５００℃以下に冷却するための排ガス希釈空気ファン（６）と該排ガス希釈空気ファン（６）からの排ガス希釈空気を流す排ガス希釈空気ダクト（１０）を排ガスダクト（１２）に接続し、排ガス希釈空気ダクト（１０）からの排ガス希釈空気と排ガスとを混合するための混合器として複数のスリット（２）を有するミキシングフォイル（１）を脱硝反応器（４）の前流側の排ガスダクト（１２）に配置したことを特徴とする排ガス用脱硝装置である。
【手続補正３】
【補正対象書類名】明細書
【補正対象項目名】００１０
【補正方法】変更
【補正の内容】
【００１０】
請求項２記載の発明は、高温排ガス逆流防止用の逆止ダンパ（８）を排ガス希釈空気ダクト（１０）内に配置し、排ガスダクト（１２）内にシール用空気を導入するシール空気ファン（７）付のシール空気配管（１１）を逆止ダンパ（８）を設置した部位より後流側の排ガス希釈空気ダクト（１０）に接続し、さらに排ガス希釈空気ダクト（１０）は排ガスダクト（１２）の上方部位に一旦立ち上げ、その後、排ガス希釈空気ダクト（１０）に接続したミキシングフォイル（１）により排ガスダクト（１０）の上方部位から排ガスダクト（１２）内に挿入する配置としたことを特徴とするたことを特徴とする請求項１記載の排ガス用脱硝装置である。
【手続補正４】
【補正対象書類名】明細書
【補正対象項目名】００１３
【補正方法】変更
【補正の内容】
【００１３】
請求項５記載の発明は、ガスタービン（３）からの排ガスが流れる排ガスダクト（１２）に配置したミキシングフォイル（１）に排ガス希釈空気を導入して排ガスと混合させ、排ガス希釈空気により５００℃以下に冷却された排ガスをアンモニア接触還元式の脱硝反応により処理することを特徴とする排ガス用脱硝方法である。
【手続補正５】
【補正対象書類名】明細書
【補正対象項目名】００１４
【補正方法】変更
【補正の内容】
【００１４】
請求項６記載の発明は、ガスタービン排ガスが逆流することを防止しながら排ガス希釈用の空気を排ガスダクト（１２）の上方部位に一旦立ち上げた後に、ミキシングフォイル（１）を経由して排ガスダクト（１２）内に導入し、さらに、ガスタービン排ガスが逆流することを防止しながらシール用空気を排ガスと排ガス希釈用の空気を混合する前の排ガスダクト（１２）に導入することを特徴とする請求項５記載の排ガス用脱硝方法である。
【手続補正６】
【補正対象書類名】明細書
【補正対象項目名】００１９
【補正方法】変更
【補正の内容】
【００１９】
請求項２、６記載の発明によれば、請求項１、５記載の発明の効果に加えて、高温排ガス逆流防止用の逆止ダンパ８を排ガス希釈空気ダクト１０内に配置し、排ガスダクト１２内にシール用空気を導入するシール空気ファン７付のシール空気配管１１を逆止ダンパ８を設置した部位より後流側の排ガス希釈空気ダクト１０に接続し、さらに排ガス希釈空気ダクト１０は排ガスダクト１２の上方部位に一旦立ち上げ、その後、排ガス希釈空気ダクトに接続したミキシングフォイル１により排ガスダクト１２の上方部位から排ガスダクト１２内に挿入する配置としたこと及び、排ガス希釈用の空気を排ガスダクトの上方部位に一旦立ち上げた後に、ミキシングフォイルを経由して排ガスダクトの上方部位から排ガスダクト内に導入し、さらに、ガスタービン排ガスが逆流することを防止しながらシール用空気を排ガスと排ガス希釈用の空気を混合する前の排ガスダクトに導入することにより、高温の気体は上昇する性質があるため、発電所全体が停電した場合においても、配置上高温排ガスは排ガスダクト１２上部の排ガス希釈空気ダクト１０に留まり、排ガス希釈空気ファン６やシール空気ファン７まで高温の状態で到達することを防ぐことができる効果がある。